(57)【要約】  【課題】    使用者が吊紐を利用し携帯電話に装着することで、ポケットやその他携帯品をクリップで挟み、携帯電話の紛失を防ぐと共に着信を表示することができる、着信表示機能と挟持機能を兼ね備えた着信表示機能付きクリップの提供。 【解決手段】    前端に下鉤突起と両側壁面に一対の軸孔を備えたクリップ本体と、前端両側に軸突起を備えたつまみ部と、前端底面に前記クリップ本体に対応する上鉤突起を備え、後端に軸棒を設けた２つのアーム部を備えた上クリップ体と、を含み、クリップ本体の底面に収納槽を設け、その周囲に複数の挿入孔を形成し、表示ユニットは、電池、着信表示回路及び発光部品から成る単一のモジュールであって、前記クリップ本体の収納槽内に設置され、透光カバーには、前記挿入孔に対応する複数の位置決め突起を設け、該位置決め突起を該挿入孔内に挿入し、透光カバーが前記表示ユニットを覆ってクリップ本体底面に位置決めする。  【選択図】    図４ 
0003107588.tif 000002
【実用新案登録請求の範囲】
【請求項１】
前端に鉤状に突起した下鉤突起と、両側壁面につまみ部及び上クリップ体が軸着され回動する一対の軸孔を備えたクリップ本体と、前端両側に軸突起を備えたつまみ部と、前端底面に前記クリップ本体に対応する上鉤突起を備え、後端を連続して延伸し、外側に軸棒を設けた２つのアーム部を備えた上クリップ体とを含み、クリップ本体の底面に収納槽を成型して設け、その周囲に複数の挿入孔を形成し、表示ユニットは、電池、着信表示回路及び発光部品から構成される単一のモジュールであって、前記クリップ本体の収納槽内に設置することができ、透光カバーには、前記クリップ本体底面の周囲に形成された挿入孔に対応する複数の位置決め突起を成型して設け、該位置決め突起を該挿入孔内に挿入し、透光カバーが前記表示ユニットを覆ってクリップ本体底面に位置決めすることを特徴とする、着信表示機能付きクリップ。     
【請求項２】
前記のうち、該発光部品が発光ダイオード（LED）である、請求項１に記載の着信表示機能付きクリップ。
【考案の詳細な説明】
【技術分野】
【０００１】
本考案は、着信表示機能付きクリップに関し、着信表示ユニットとクリップの統合に応用する技術であり、特に、クリップ本体、つまみ部、上クリップ体から構成され、主に表示ユニットをクリップ本体底面に設置し、さらに透光カバーで覆い位置決めして形成された着信表示機能付きクリップであって、挟持機能と着信の主動的表示機能を同時に備えた着信表示機能付きクリップに関する。
【背景技術】
【０００２】
現在市販されている着信表示部品は、そのほとんどが着信を表示する発光部品を携帯電話９に被せたり差し込んだりして接続する（図１参照）ことで、使用者にマナーモードや騒音環境下でも着信を主動的に表示するためのものであり、また、クリップ１０（図２、図３参照）の用途は、物品（ペンや装飾物、鍵など）を挟持し、脱落や紛失を防ぐためのものであり、両者は相互に関係がなくその使用場所や対象も異なる。
【０００３】
現在の携帯電話の携帯は、携帯と受信の利便性のため、多くの使用者が携帯電話を首に掛けたり、ポケットやバッグの中に携帯電話を入れ、ワイヤレスイヤホンで受話をする方法を採用している。しかし、科学技術の進歩に伴い、携帯電話の体積は非常に小さくなっており、紛失の防止及び適時の使用提供と主動的表示機能を兼ね備えるために、これら機能を統合することでそのニーズを満たすことが求められている。
【考案の開示】
【考案が解決しようとする課題】
【０００４】
本考案の主な目的は、クリップ本体底面に収納槽を成型し、表示ユニットを該収納槽に設置し、且つ透光カバーで覆い位置決めすることにより、表示ユニットとクリップ本体が連結され一体となり、着信表示機能を備えたクリップを形成し、使用者が吊紐を利用し携帯電話に装着し、ポケットやその他携帯品をクリップで挟み、携帯電話の紛失を防ぐと共に着信を表示する機能を備えた、着信表示機能付きクリップを提供することにある。
【０００５】
本考案の別の目的は、透光カバーに、クリップ本体底面の挿入孔に対応する位置決め突起を成型して設け、該位置決め突起を挿入孔に嵌入し、透光カバーとクリップ本体がしっかりと連結されると共に、表示ユニットを覆って位置決めし、結合力を強化すると同時に水分の侵入を防ぐことができる、着信表示機能付きクリップを提供することにある。
【０００６】
本考案のさらに別の目的は、表示ユニットが電池と、着信表示回路と、発光部品から成る単一のモジュールであり、クリップ本体に簡易に組み込むことができ、製造工程を簡略化し、製造コストを下げるだけでなく、電池または発光部品の色の交換に便利である、着信表示機能付きクリップを提供することにある。
【課題を解決するための手段】
【０００７】
本考案の着信表示機能付きクリップは、前端に鉤状に突起した下鉤突起と、両側壁面につまみ部及び上クリップ体が軸着され回動する一対の軸孔を備えたクリップ本体と、前端両側に軸突起を備えたつまみ部と、前端底面に前記クリップ本体に対応する上鉤突起を備え、後端を連続して延伸し、外側に軸棒を設けた２つのアーム部を備えた上クリップ体と、を含み、クリップ本体の底面に収納槽を成型して設け、その周囲に複数の挿入孔を形成し、表示ユニットは、電池、着信表示回路及び発光部品から構成される単一のモジュールであって、前記クリップ本体の収納槽内に設置することができ、透光カバーには、前記クリップ本体底面の周囲に形成された挿入孔に対応する複数の位置決め突起を成型して設け、該位置決め突起を該挿入孔内に挿入し、透光カバーが前記表示ユニットを覆ってクリップ本体底面に位置決めすることを特徴とする。        
【考案を実施するための最良の形態】
【０００８】
図４から図６に示すように、本考案の着信表示機能付きクリップは、前端に鉤状に突起した下鉤突起１１と、両側壁面につまみ部２及び上クリップ体３が軸着され回動する一対の軸孔１２、１３を備えたクリップ本体１と、前端両側に軸突起２１を備えたつまみ部２と、前端底面にクリップ本体１に対応する上鉤突起３１を備え、後端を連続して延伸し、外側に軸棒３３を設けた２つのアーム部３２を備えた上クリップ体３と、を含み、そのうち、クリップ本体１の底面に収納槽１４を成型して設け、その周囲に複数の挿入孔１５を形成する。表示ユニット４は、電池４１、着信表示回路４２及び発光部品４３（発光ダイオードLED等）から構成される単一のモジュールであり、前記クリップ本体１の収納槽１３内に設置することができる。透光カバー５には、前記クリップ本体１底面の周囲に形成された挿入孔１５に対応する複数の位置決め突起５１を成型して設け、該位置決め突起５１を該挿入孔１５内に挿入し、透光カバー５が前記表示ユニット４を覆ってクリップ本体１底面に位置決めする。
【０００９】
透光カバー５に覆われ、クリップ本体１と上クリップ体３により、衣服や携帯品８を挟むことができ、つまみ部２によりその開閉を制御し（図５及び図６参照）、さらに吊紐６の一端をクリップ本体１後端部に予め設けた通孔１６に穿通し、携帯電話７に別の一端を穿通することにより（図７参照）、携帯上の利便性と、紛失防止機能及び着信表示機能を得ることができる。
【図面の簡単な説明】
【００１０】
【図１】従来の着信表示機の使用状態を示す立体図である。
【図２】従来のクリップの側面図である。
【図３】従来のクリップの立体斜視図である。
【図４】本考案の立体分解図である。
【図５】本考案の側面透視図である。
【図６】本考案の開閉動作を示す側面透視図である。
【図７】本考案の使用状態を示す立体図である。
【符号の説明】
【００１１】
１        クリップ本体
１１      下鉤突起
１２、１３      軸孔  
１４      収納槽
１５      挿入孔
１６      通孔
２        つまみ部
２１      軸突起
３        上クリップ体
３１      上鉤突起
３２      アーム部
３３      軸棒
４        表示ユニット
４１      電池
４２      着信表示回路
４３      発光部品
５        透光カバー
５１      位置決め突起
６        吊紐
７        携帯電話
【図１】
0003107588.tif 000003
【図２】
0003107588.tif 000004
【図３】
0003107588.tif 000005
【図４】
0003107588.tif 000006
【図５】
0003107588.tif 000007
【図６】
0003107588.tif 000008
【図７】
0003107588.tif 000009
【手続補正書】
【提出日】平成16年9月6日(2004.9.6)
【手続補正１】
【補正対象書類名】図面
【補正対象項目名】図４
【補正方法】変更
【補正の内容】
【図４】
0003107588.tif 000010
【手続補正２】
【補正対象書類名】図面
【補正対象項目名】図５
【補正方法】変更
【補正の内容】
【図５】
0003107588.tif 000011
【手続補正３】
【補正対象書類名】図面
【補正対象項目名】図６
【補正方法】変更
【補正の内容】
【図６】
0003107588.tif 000012
【手続補正４】
【補正対象書類名】図面
【補正対象項目名】図７
【補正方法】変更
【補正の内容】
【図７】
0003107588.tif 000013